【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
ネットワークを介して管理装置に接続される監視装置であって、
監視データを入力する入力手段と、
前記監視データの蓄積条件を前記管理装置から取得する取得手段と、
前記管理装置から取得した前記蓄積条件が満たされたときの監視データを、当該管理装置とは異なる記憶装置に蓄積させる蓄積制御手段と、
前記管理装置から取得した前記蓄積条件が満たされたときの監視データが前記管理装置とは異なる前記記憶装置に蓄積されていることを前記管理装置に通知する通知手段と
を有することを特徴とする監視装置。
【請求項２】
前記蓄積制御手段は、前記蓄積条件が満たされたときの監視データを、前記蓄積条件が満たされたときに前記管理装置と通信が可能でない状態の場合、前記管理装置とは異なる前記記憶装置に記憶させることを特徴とする請求項１に記載の監視装置。
【請求項３】
前記監視装置が持つ時刻情報と前記管理装置が持つ時刻情報との差異を取得する時間差取得手段を更に有し、
前記蓄積制御手段は、前記記憶装置に蓄積させる監視データの撮像時刻を、前記蓄積条件が満たされたと判定されたタイミングよりも、前記時間差取得手段により取得された差異に応じた時間だけ早めることを特徴とする請求項１又は２に記載の監視装置。
【請求項４】
前記蓄積条件は、前記管理装置で指定された時間帯に関する情報であることを特徴とする請求項１乃至３のいずれか１項に記載の監視装置。
【請求項５】
前記蓄積条件は、前記管理装置で指定されたイベントの種別に関する情報であり、
前記蓄積制御手段は、前記管理装置で指定された種別のイベントが発生したときの監視データを、前記記憶装置に記憶させることを特徴とする請求項１乃至３のいずれか１項に記載の監視装置。
【請求項６】
前記蓄積条件は、前記管理装置で指定されたイベントの種別、及び、当該種別のイベントが発生してからの時間に関する情報であり、
前記蓄積制御手段は、前記管理装置で指定された種別のイベントが発生してから前記時間に関する情報に応じた時間が経過するまでの監視データを、前記記憶装置に記憶させることを特徴とする請求項１乃至３のいずれか１項に記載の監視装置。
【請求項７】
前記記憶装置は、ネットワークを介して接続されることを特徴とする請求項１乃至６のいずれか１項に記載の監視装置。
【請求項８】
前記通知手段は、前記監視データが前記記憶装置に蓄積されたことを、当該蓄積から所定時間経過後に通知することを特徴とする請求項１乃至７のいずれか１項に記載の監視装置。
【請求項９】
前記通知手段は、前記監視データが前記記憶装置に記憶されたことを、当該蓄積から所定時間が経過するごとに通知することを特徴とする請求項１乃至７のいずれか１項に記載の監視装置。
【請求項１０】
前記通知手段は、前記監視データが前記管理装置とは異なる前記記憶装置に蓄積されていることを、前記管理装置からの問い合わせに応じて、前記管理装置に通知することを特徴とする請求項１乃至７のいずれか１項に記載の監視装置。
【請求項１１】
前記監視データは、画像データ及び音声データのうちの少なくとも１つであることを特徴とする請求項１乃至１０のいずれか１項に記載の監視装置。
【請求項１２】
ネットワークを介して管理装置に接続される監視装置の制御方法であって、
監視データを入力する入力工程と、
前記監視データの蓄積条件を前記管理装置から取得する取得工程と、
前記蓄積条件が満たされたときの監視データを前記管理装置とは異なる記憶装置に蓄積させる蓄積制御工程と、
前記蓄積条件が満たされたときの監視データが前記管理装置とは異なる前記記憶装置に蓄積されていることを前記管理装置に通知する通知工程と
を有することを特徴とする監視装置の制御方法。
【請求項１３】
前記蓄積制御工程は、前記蓄積条件が満たされたときの監視データを、前記蓄積条件が満たされたときに前記管理装置と通信が可能でない状態の場合、前記管理装置とは異なる前記記憶装置に記憶させることを特徴とする請求項１２に記載の監視装置の制御方法。
【請求項１４】
前記蓄積条件は、前記管理装置で指定されたイベントの種別に関する情報であり、
前記蓄積制御工程は、前記管理装置で指定された種別のイベントが発生したときの監視データを、前記記憶装置に記憶させることを特徴とする請求項１２又は１３に記載の監視装置の制御方法。
【請求項１５】
前記蓄積条件は、前記管理装置で指定されたイベントの種別、及び、当該種別のイベントが発生してからの時間に関する情報であり、
前記蓄積制御工程は、前記管理装置で指定された種別のイベントが発生してから前記時間に関する情報に応じた時間が経過するまでの監視データを、前記記憶装置に記憶させることを特徴とする請求項１２又は１３に記載の監視装置の制御方法。
【請求項１６】
前記通知工程は、前記監視データが前記記憶装置に蓄積されたことを、当該蓄積から所定時間経過後に通知することを特徴とする請求項１２乃至１５のいずれか１項に記載の監視装置の制御方法。
【請求項１７】
ネットワークを介して管理装置に接続されるコンピュータに、
監視データを入力する入力手順と、
前記監視データの蓄積条件を前記管理装置から取得する取得手順と、
前記蓄積条件が満たされたときの監視データを前記管理装置とは異なる記憶装置に蓄積させる蓄積制御手順と、
前記蓄積条件が満たされたときの監視データが前記管理装置とは異なる前記記憶装置に蓄積されていることを前記管理装置に通知する通知手順と
を実行させることを特徴とするプログラム。
【請求項１８】
監視装置と管理装置とがネットワークを介して接続された監視システムであって、
前記監視装置に監視データを入力する入力手段と、
前記管理装置で設定された監視データの蓄積条件を取得する取得手段と、
前記蓄積条件が満たされたときの監視データを、前記蓄積条件を設定した前記管理装置とは異なる記憶装置に蓄積させる蓄積制御手段と、
前記蓄積条件が満たされたときの監視データが前記管理装置とは異なる前記記憶装置に蓄積されたことを、前記管理装置に通知する通知手段と
を有することを特徴とする監視システム。
【手続補正２】
【補正対象書類名】明細書
【補正対象項目名】０００１
【補正方法】変更
【補正の内容】
【０００１】
本発明は、ネットワークを介して管理装置に接続される監視装置及びその制御方法、プログラム、並びに、監視装置と管理装置とがネットワークを介して接続された監視システムに関するものである。
【手続補正３】
【補正対象書類名】明細書
【補正対象項目名】００１０
【補正方法】変更
【補正の内容】
【００１０】
本発明の監視装置は、ネットワークを介して管理装置に接続される監視装置であって、監視データを入力する入力手段と、前記監視データの蓄積条件を前記管理装置から取得する取得手段と、前記管理装置から取得した前記蓄積条件が満たされたときの監視データを、当該管理装置とは異なる記憶装置に蓄積させる蓄積制御手段と、前記管理装置から取得した前記蓄積条件が満たされたときの監視データが前記管理装置とは異なる前記記憶装置に蓄積されていることを前記管理装置に通知する通知手段とを有する。
【手続補正４】
【補正対象書類名】明細書
【補正対象項目名】００１１
【補正方法】変更
【補正の内容】
【００１１】
本発明の監視装置の制御方法は、ネットワークを介して管理装置に接続される監視装置の制御方法であって、監視データを入力する入力工程と、前記監視データの蓄積条件を前記管理装置から取得する取得工程と、前記蓄積条件が満たされたときの監視データを前記管理装置とは異なる記憶装置に蓄積させる蓄積制御工程と、前記蓄積条件が満たされたときの監視データが前記管理装置とは異なる前記記憶装置に蓄積されていることを前記管理装置に通知する通知工程とを有する。
【手続補正５】
【補正対象書類名】明細書
【補正対象項目名】００１２
【補正方法】変更
【補正の内容】
【００１２】
本発明のプログラムは、ネットワークを介して管理装置に接続されるコンピュータに、監視データを入力する入力手順と、前記監視データの蓄積条件を前記管理装置から取得する取得手順と、前記蓄積条件が満たされたときの監視データを前記管理装置とは異なる記憶装置に蓄積させる蓄積制御手順と、前記蓄積条件が満たされたときの監視データが前記管理装置とは異なる前記記憶装置に蓄積されていることを前記管理装置に通知する通知手順とを実行させる。
【手続補正６】
【補正対象書類名】明細書
【補正対象項目名】００１３
【補正方法】変更
【補正の内容】
【００１３】
本発明の監視システムは、監視装置と管理装置とがネットワークを介して接続された監視システムであって、前記監視装置に監視データを入力する入力手段と、前記管理装置で設定された監視データの蓄積条件を取得する取得手段と、前記蓄積条件が満たされたときの監視データを、前記蓄積条件を設定した前記管理装置とは異なる記憶装置に蓄積させる蓄積制御手段と、前記蓄積条件が満たされたときの監視データが前記管理装置とは異なる前記記憶装置に蓄積されたことを、前記管理装置に通知する通知手段とを有する。
【手続補正７】
【補正対象書類名】明細書
【補正対象項目名】００９９
【補正方法】変更
【補正の内容】
【００９９】
続いて、ステップＳ８０４において、ＣＰＵ２００は、蓄積データ領域４６０に監視データが蓄積されているか否かを判断する。この判断の結果、蓄積データ領域４６０に監視データが蓄積されていない場合には、ステップＳ８０１に戻る。
【手続補正８】
【補正対象書類名】明細書
【補正対象項目名】０１００
【補正方法】変更
【補正の内容】
【０１００】
一方、ステップＳ８０４の判断の結果、蓄積データ領域４６０に監視データが蓄積されている場合には、ステップＳ８０５に進む。ステップＳ８０５に進むと、ＣＰＵ２００は、遠隔管理装置１２０に対して定期的に蓄積データ（蓄積監視データ）の存在を通知するためのタイマーをスタートする。その後、ステップＳ８０１に戻る。
【手続補正９】
【補正対象書類名】図面
【補正対象項目名】図８
【補正方法】変更
【補正の内容】
【図８】
2009260838.tif 000001